(57)【要約】この発明は、無線通信システムにおける基地局から不特定の時期に飛来する物理チャネルを高周波信号からベースバンド信号へ復調したのち、前記ベースバンド信号を復号し復号ベースバンド信号として出力し、前記復号ベースバンド信号に含まれる所望チャネルを、通信制御を行う通信制御部（１３）により解読する無線信号受信方法において、前記復号ベースバンド信号の前記物理チャネル中に前記所望チャネルの信号が存在するか否かを判定し、その判定結果を出力する判定工程と、前記判定結果が所望チャネルの存在を示した場合に、前記通信制御部（１３）の電源をＯＮ状態にするウエイクアップ工程と、前記通信制御部（１３）の電源がＯＮ状態の場合に、前記通信制御部が動作する必要がないことを確認したとき、前記通信制御部の電源をＯＦＦ状態にするスリープ工程とを含むことを特徴とする無線信号受信方法であって、移動局（１）の消費電力を削減することができる。
2004019637.tif 000002
【特許請求の範囲】
【請求項１】
無線通信システムにおける基地局から不特定の時期に飛来する物理チャネルを高周波信号からベースバンド信号へ復調したのち、前記ベースバンド信号を復号し復号ベースバンド信号として出力し、
前記復号ベースバンド信号に含まれる所望チャネルを、通信制御を行う通信制御部により解読する無線信号受信方法において、
前記復号ベースバンド信号の前記物理チャネル中に前記所望チャネルが存在するか否かを判定し、その判定結果を出力する判定工程と、
前記判定結果が所望チャネルの存在を示した場合に、前記通信制御部の電源をＯＮ状態にするウエイクアップ工程と、
前記通信制御部の電源がＯＮ状態の場合に、前記通信制御部が動作する必要がないことを確認したとき、前記通信制御部の電源をＯＦＦ状態にするスリープ工程とを含むことを特徴とする無線信号受信方法。
【請求項２】
前記無線通信システムはＷＣＤＭＡ方式で、
前記物理チャネルはＳＣＣＰＣＨで、前記所望チャネルはＦＡＣＨであることを特徴とする請求項１記載の無線信号受信方法。
【請求項３】
前記判定工程は、前記復号部により復号されたＴＦＣＩを用いて行われることを特徴とする請求項２記載の無線信号受信方法。
【請求項４】
前記判定の後に、この判定結果の誤り検出を行うことを特徴とする請求項２または３記載の無線信号受信方法。
【請求項５】
前記誤り検出は、ＣＲＣ判定によって行われることを特徴とする請求項４記載の無線信号受信方法。
【請求項６】
前記ウエイクアップ工程は、前記判定結果がＦＡＣＨの存在を示した場合で、前記ＳＣＣＰＣＨが復号されたときに、前記通信制御部の電源を、割込み信号によってＯＮ状態にすることを特徴とする請求項２〜５のいずれかに記載の無線信号受信方法。
【請求項７】
前記無線通信システムはＷＣＤＭＡ方式で、
前記物理チャネルはＤＰＣＨで、前記所望チャネルはＤＴＣＨであることを特徴とする請求項１記載の無線信号受信方法。
【請求項８】
前記判定工程は、前記復号部により復号されたＴＦＣＩを用いて行われることを特徴とする請求項７記載の無線信号受信方法。
【請求項９】
前記判定の後に、この判定結果の誤り検出を行うことを特徴とする請求項７または８記載の無線信号受信方法。
【請求項１０】
前記誤り検出は、ＣＲＣ判定によって行われることを特徴とする請求項９記載の無線信号受信方法。
【請求項１１】
前記ウエイクアップ工程は、前記判定結果がＤＴＣＨの存在を示した場合で、前記ＤＰＣＨが復号されたときに、前記通信制御部の電源を、割込み信号によってＯＮ状態にすることを特徴とする請求項７〜１０のいずれかに記載の無線信号受信方法。
【請求項１２】
前記スリープ工程は、前記通信制御部の解読結果が前記所望チャネル信号の受信を続けるものである場合に、前記通信制御部に対する動作指令があるか否かを確認する確認工程と、
この確認結果が動作指令のないことを示した場合に、前記通信制御部の電源をＯＦＦ状態にする電力供給停止処理工程とを備えることを特徴とする請求項１〜１１のいずれかに記載の無線信号受信方法。
【請求項１３】
前記確認工程は、前記通信制御部に接続された、各種端末からの処理要求がないか否か、周辺セルの情報取得が必要であるか否か、または周辺セルの情報取得が存在するか否かのいずれかを確認することを特徴とする請求項１２記載の無線信号受信方法。
【請求項１４】
無線通信システムにおける基地局から不特定の時期に飛来する物理チャネルを高周波信号からベースバンド信号へ復調したのち、前記ベースバンド信号を復号し復号ベースバンド信号として出力し、
前記復号ベースバンド信号に含まれる所望チャネルを、通信制御を行う通信制御部により解読する無線信号受信方法において、
前記復号ベースバンド信号の前記物理チャネル中に前記所望チャネルの信号が存在するか否かを判定し、その判定結果を出力する判定手段と、
前記判定結果が所望チャネルの存在を示した場合に、前記通信制御部の電源をＯＮ状態にするウエイクアップ手段と、
前記通信制御部の電源がＯＮ状態の場合に、前記通信制御部が動作する必要がないことを確認したとき、前記通信制御部の電源をＯＦＦ状態にするスリープ手段とを含むことを特徴とする無線信号受信装置。
【発明の詳細な説明】
【技術分野】  この発明は、例えばＷＣＤＭＡ方式などの無線通信システムにおいて用いられる無線信号の受信方法および受信装置に関する。
【背景技術】  従来、特公平７−２２２７１号公報に記載された技術があった。
特公平７−２２２７１号公報に記載された従来技術を説明する。
この従来技術は、受信機が着呼信号ＰＡＧＥを待ち受けている場合において、信号処理回路等の移動局装置の一部を間欠的に動作させ、移動局装置の消費電力を節約できるものである。
しかしながら、従来の移動局装置の一部を間欠的に動作させる技術は着呼信号ＰＡＧＥのような特定のタイミングで飛来する信号を待ち受ける場合に限って用いられるものであり、不特定の時期に飛来する信号を移動局装置が待ち受ける場合には、移動局装置の一部を間欠的に動作させることができず、移動局装置の消費電力を節約することができないという課題を有していた。
【発明の開示】
この発明は、前記課題を解決し、移動局装置が不特定の時期に飛来する信号を待ち受けている場合においても、移動局装置の一部を間欠的に動作させることによって、移動局装置の消費電力を節約することを目的とする。
この発明は、無線通信システムにおける基地局から不特定の時期に飛来する物理チャネルを高周波信号からベースバンド信号へ復調したのち、前記ベースバンド信号を復号し復号ベースバンド信号として出力し、前記復号ベースバンド信号に含まれる所望チャネルを、通信制御を行う通信制御部により解読する無線信号受信方法において、前記復号ベースバンド信号の前記物理チャネル中に前記所望チャネルの信号が存在するか否かを判定し、その判定結果を出力する判定工程と、前記判定結果が所望チャネルの存在を示した場合に、前記通信制御部の電源をＯＮ状態にするウエイクアップ工程と、前記通信制御部の電源がＯＮ状態の場合に、前記通信制御部が動作する必要がないことを確認したとき、前記通信制御部の電源をＯＦＦ状態にするスリープ工程とを含む無線通信受信方法である。
この発明は、無線通信システムにおける基地局から不特定の時期に飛来する物理チャネルを高周波信号からベースバンド信号へ復調したのち、前記ベースバンド信号を復号し復号ベースバンド信号として出力し、前記復号ベースバンド信号に含まれる所望チャネルを、通信制御を行う通信制御部により解読する無線信号受信方法において、前記復号ベースバンド信号の前記物理チャネル中に前記所望チャネルの信号が存在するか否かを判定し、その判定結果を出力する判定手段と、前記判定結果が所望チャネルの存在を示した場合に、前記通信制御部の電源をＯＮ状態にするウエイクアップ手段と、前記通信制御部の電源がＯＮ状態の場合に、前記通信制御部が動作する必要がないことを確認したとき、前記通信制御部の電源をＯＦＦ状態にするスリープ手段とを含む無線信号受信装置である。
この発明によれば、不特定の時期に飛来する物理チャネルを待ち受けている場合においても、無線信号受信装置の一部を間欠的に動作させることによって、無線信号受信装置の消費電力を節約することができる。
【図面の簡単な説明】  第１図は、ＷＣＤＭＡ方式におけるチャネルの構成を表す図である。
第２図は、この発明の実施の形態１である移動局の構成図である。
第３図は、この発明の実施の形態１の動作を表すシーケンス図である。
第４図は、この発明の実施の形態１の場合に、移動局が消費する電力を表した図である。
第５図は、この発明の実施の形態１における、発明の要部の動作を表すフローチャート図である。
第６図は、この発明の実施の形態１における、発明の要部の動作を表すフローチャート図である。
第７図は、この発明の実施の形態１における、発明の要部の動作を表すフローチャート図である。
第８図は、この発明の実施の形態２における、発明の要部の動作を表すフローチャート図である。
第９図は、この発明の実施の形態３における、発明の動作を表すフローチャート図である。
第１０図は、この発明の実施の形態３における発明の要部の動作を表すフローチャート図である。
第１１図は、この発明の実施の形態３における発明の要部の動作を表すフローチャート図である。
【発明を実施するための最良の形態】実施の形態１．
この実施の形態１は、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式のネットワークシステムで用いられ、移動局が使用する無線信号受信方法に関するものである。また、この無線信号受信方法は、ＦＡＣＨ（Ｆｏｒｗｏｒｄ  Ａｃｃｅｓｓ  Ｃｈａｎｅｌ）を待ち受けるときに、移動局の消費電力を節約できる無線信号受信方法である。
なお、移動局が動作している場合に、移動局がＦＡＣＨを待ち受ける場面は種々である。例えば、移動局が電話回線を使用する場合には、ＦＡＣＨによって、移動局が電話回線に使用するチャネルが指定される。したがって、移動局が電話回線に使用するチャネルを決定する前に、移動局がＦＡＣＨを待ち受ける。
また、移動局がパケット通信に使用するチャネルを決定する前も同様である。
この実施の形態では、様々な場合において、移動局がＦＡＣＨを待ち受けるときの無線信号受信方法を説明する
ただし、移動局がパケット通信を行っている場合に、移動局がＦＡＣＨを待ち受けるときの動作は別の実施の形態において説明する。
始めに、この実施の形態に関連するチャネルについて第１図に基づいて説明する。
まず、チャネルを階層的に区分すると、物理的な搬送路である物理チャネル、その物理チャネルにマッピングされるトランスポートチャネル、そのトランスポートチャネルにマッピングされる論理チャネルとに区分される。
第１図に基づいて、この実施の形態１またはその他の実施の形態において使用する物理チャネルと、その物理チャネルに対応するトランスポートチャネルおよび論理チャネルを説明する。
まず、物理チャネルとトランスポートチャネルとの対応を説明する。
物理チャネルの中には複数のトランスポートチャネルがマッピングされている。第１図の例によれば、物理チャネルであるＳＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｅｌ）の中に、ＦＡＣＨ（Ｆｏｒｗｏｒｄ  Ａｃｃｅｓｓ  Ｃｈａｎｅｌ）およびＰＣＨ（Ｐａｇｉｎｇ  Ｃｈａｎｅｌ）がマッピングされている。
また、トランスポートチャネルが物理チャネルにマッピングされる場合、いくつかのトランスポートチャネルごとに多重化され、多重化された信号が物理チャネルにマッピングされる。
なお、複数のトランスポートチャネルが多重化されている符号化信号を、ＣＣＴＲＣＨ（Ｃｏｄｅｄ  Ｃｏｍｐｏｓｉｔｅ  Ｔｒａｎｓｐｏｒｔ  Ｃｈａｎｅｌ）という。また、物理チャネルは、ＣＣＴＲＣＨを複数備えることもある。
次に、トランスポートチャネルと論理チャネルとの対応を説明する。
第１図の例によれば、トランスポートチャネルであるＦＡＣＨの中に、ＣＣＣＨ（Ｃｏｍｍｏｎ  Ｃｏｎｔｒｏｌ  Ｃｈａｎｅｌ），ＤＣＣＨ（Ｄｅｄｉｃａｔｅｄ  Ｃｏｎｔｒｏｌ  Ｃｈａｎｅｌ），ＤＴＣＨ（Ｄｅｄｉｃａｔｅｄ  Ｔｒａｆｆｉｃ  Ｃｈａｎｅｌ）がマッピングされている。ＰＣＨ（Ｐａｇｉｎｇ  Ｃｈａｎｅｌ）にはＰＣＣＨ（Ｐａｇｉｎｇ  Ｃｏｎｔｒｏｌ  Ｃｈａｎｅｌ）がマッピングされている。ＤＣＨ（Ｄｅｄｉｃａｔｅｄ  Ｃｈａｎｅｌ）にはＤＣＣＨ（Ｄｅｄｉｃａｔｅｄ  Ｃｏｎｔｒｏｌ  Ｃｈａｎｅｌ）およびＤＴＣＨ（Ｄｅｄｉｃａｔｅｄ  Ｔｒａｆｆｉｃ  Ｃｈａｎｅｌ）がマッピングされている。各チャネルの詳細な説明は、必要に応じて後述する。
次に、チャネルを用途によって区分した場合について説明する。
個別チャネルとは、１つのチャネル（物理チャネル、トランスポートチャネルまたは論理チャネル）を基地局と移動局との間において、１対１の関係で使用しているチャネルである。この個別チャネルを使用すれば多量な情報の伝達が可能である。
共通チャネルとは、１つのチャネルを基地局と移動局との間において、１対複数の関係で使用しているチャネルである。この共通チャネルは、それ程多くない情報を伝達する場合に使用される。また、効率的にチャネルを使用できるので、占有帯域の効率化に資するチャネルである。
また、チャネルについて、パケット通信チャネル、電話回線チャネルまたは制御チャネルと表現する場合があるが、これらのチャネルは、個別チャネル若しくは共通チャネルを問わず、また、物理チャネル、トランスポートチャネル、若しくは論理チャネルを問わない。また、パケット通信、電話回線または制御のいずれの用途によって使用されるかによって、パケット通信チャネル、電話回線チャネルまたは制御チャネルのいずれのチャネルであるかが定まる。
次に、ＷＣＤＭＡ方式で用いられる具体的なチャネルの中で、この実施の形態１と関係があるチャネルについて説明する。
ＳＣＣＰＣＨは物理チャネルの一つであり、共通チャネルの一つである。また、移動局の制御を行う信号またはパケット通信用のチャネルの信号であって、通信量が少ない信号が搬送されるチャネルである。また、ＳＣＣＰＣＨは不特定の時に飛来するチャネルである。
また、ＦＡＣＨはＳＣＣＰＣＨにマッピングされるトランスポートチャネルの一つである。
ＰＩＣＨ（Ｐａｇｉｎｇ  Ｉｎｄｉｃａｔｏｒ  Ｃｈａｎｅｌ）は物理チャネルの一つである。また、ＳＣＣＰＣＨに一対一で対応するチャネルであり、ＰＩＣＨを解読することで、移動局に対する着信があるか否かを理解することができる。また、ＰＩＣＨは特定の時期に飛来する物理チャネルである。
次に、基地局と移動局との状態を占有帯域または消費電力の観点から３つの状態に分けて定義する。移動局が使用する物理チャネル、トランスポートチャネルまたは論理チャネルが個別チャネルである状態を「個別状態」とする。
移動局が使用する物理チャネル、トランスポートチャネルまたは論理チャネルが共通チャネルである状態（後述する待受状態は除く）を「共通状態」とする。
また、物理チャネル、トランスポートチャネルまたは論理チャネルが共通チャネルであっても、基地局と移動局との間で通話やパケット通信が行われていない場合は、原則として、移動局はＰＩＣＨ（Ｐａｇｉｎｇ  Ｉｎｄｉｃａｔｏｒ  Ｃｈａｎｅｌ）が飛来するときのみ、間欠的に受信装置の一部を電源ＯＮ状態にして、ＰＩＣＨを待ち受けている。以降、移動局１が、ＰＩＣＨを間欠的に待ち受ける状態を「待受状態」とする。
この発明の実施の形態１である受信方法または受信装置を備える移動局の構成について第２図に基づいて説明する。
符号０は無線システムの中で用いられる基地局、符号１はこの実施の形態１で用いる移動局、符号２は移動局１が備えるアンテナ、符号３はアンテナ２と接続される無線部でアップコンバータ４とダウンコンバータ５を備える。符号６は無線部３と接続されるベースバンド変復調部で、ベースバンド変調部７とベースバンド復調部８とを備える。符号９はベースバンド変復調部６と接続される通信路符号化部で、復号部１０、符号化部１１および、所望チャネル存在判定部１２とを備える。
所望チャネル存在判定部１２は、符号化され、かつ複数のトランスポートチャネルが多重化された信号であるＣＣＴＲＣＨの中に、所望のトランスポートチャネルが含まれているか否かを判定する部分である。また、その判定結果が、ＣＣＴＲＣＨの中に所望のトランスポートチャネルが含まれることを示す場合に、ＣＣＴＲＣＨの中に所望のトランスポートチャネルが存在する旨の信号が出力される。符号１３は通信路符号化部９と接続される通信制御部、符号１４は通信制御部と接続される端末ＩＦ（Ｉｎｔｅｒ  Ｆａｃｅ）部、符号１５は端末ＩＦ部１４に接続される、ＭＩＣ、スピーカ等の各種端末である。また、移動局１はタイミング制御部（図示せず）を備えている。タイミング制御部は、移動局内部の各ブロックに対して、電源供給を行い、かつその制御を時間管理している回路である。
次にこの実施の形態において、ＦＡＣＨが待ち受けられる場合に、移動局１に備えられる各装置が行う動作を第３図に基づいて説明する。
第３図において、通信制御部１３、通信路符号化部９、ベースバンド変復調部６、無線部３またはタイミング制御部（以降、「各部」という）について、それぞれ縦方向に時間の経過を表す時間軸が描かれ、その時間経過の中で、各部の行う動作が表されている。
この時間軸の中が塗りつぶされている部分は、その部分において電源ＯＮ状態であることを意味し、その時間軸が白抜きとなっている部分は、その部分において電源ＯＦＦ状態になっていることを意味する。
図において、まず、通信制御部１３が電源ＯＮ状態となっている場合で、通信路符号化部９、ベースバンド変復調部６または無線部３が電源ＯＦＦ状態であるときに、通信路符号化部９、ベースバンド変復調部６または無線部３が電源ＯＮ状態となるように通信制御部１３からＯＰＥＮ信号が出力される。
また、このＯＰＥＮ信号が通信路符号化部９、ベースバンド変復調部６または無線部３に入力され、通信路符合化部９、ベースバンド変復調部６または無線部３が電源ＯＮ状態になる。
次に、通信路符号化部９、ベースバンド変復調部６および無線部３が電源ＯＮ状態になっている場合で、通信制御部１３が必要な動作要求を受けていないとき、タイミング制御部に向かって、通信制御部１３への電力の供給を停止するように要求し（図示せず）、通信制御部１３がスリープ状態となる。
一方、無線部３が電源ＯＮ状態の場合に、ＳＣＣＰＣＨの高周波信号が無線部３に入力されると、ＳＣＣＰＣＨは中間周波信号に変換されてベースバンド変復調部６に入力される。ベースバンド変復調部６に入力された中間周波信号はベースバンド信号に変換されて通信路符号化部９に入力される。
通信路符号化部９は、入力されたベースバンド信号に基づいて、ＳＣＣＰＣＨの中にＦＡＣＨが存在しているか否かを判定する。
通信路符号化部９は、その判定の後、ベースバンド信号を復号する。
ベースバンド信号が復号ベースバンド信号に復号された場合、通信路符号化部９は通信制御部１３に向けて、ウエイクアップ信号を送出する。
なお、ここでは、判定の後にベースバンド信号を復号したが、判定の前にベースバンド信号を復号する場合もある。
通信制御部１３にウエイクアップ信号が入力された場合、通信制御部１３が電源ＯＮ状態になる。
通信制御部１３が電源ＯＮ状態となっている場合に、通信路符号化部９は復号ベースバンド信号を通信制御部１３に向けて出力する。
通信制御部１３が電源ＯＮ状態となっている場合で、通信路符号化部９から復号ベースバンド信号が通信制御部１３に入力されたとき、通信制御部１３は入力された復号ベースバンドに含まれる複数のトランスポートチャネルの中から、ＦＡＣＨを選んで解読する。
通信制御部１３がＦＡＣＨの解読を終えた場合、通信制御部１３は、通信制御部１３が必要な動作要求を受けていないときに、タイミング制御部に向かって、通信制御部１３への電力の供給を停止するように要求し、通信制御部１３がスリープ状態となる。以降、無線部３に高周波信号のＳＣＣＰＣＨが入力されるたびに、同様の動作を繰り返す。
次に、以上のような実施の形態の場合に、移動局１が消費する電力の状態を第４図に基づいて説明する。
第４図は、移動局１の各部が消費する電力を表した図である。
第４図の横軸は時間Ｔ、樅軸は電力Ｗを表す。
底電流は、ＬＳＩスタンバイ電流などの、移動局１に備えられる機能が全て停止している場合に消費される電流で、電力Ｗｐを消費する。タイミング制御部は常に電力を消費し、電力Ｗｔを消費する。通信制御部１３は電力Ｗｃを消費する。無線部３およびベースバンド変復調部６は電力Ｗｄｍを消費する。通信路符合化部９は電力Ｗｄｃを消費する。また、移動局１が消費する電力をＷとする。
時間Ｔ０から時間Ｔｃ１までの間、移動局１は電源ＯＦＦ状態であるとする。このとき、移動局１が消費する電力Ｗは底電流およびタイミング制御部の消費電力であるので、移動局１が消費する電力Ｗを次のように表すことができる。
Ｔ０≦Ｔ＜Ｔｃ１
Ｗ＝Ｗｐ＋Ｗｔ                                          （１）
時間Ｔｃ１の時に、移動局１が電源ＯＮ状態になり、時間Ｔｓの時に移動局１がＳＣＣＰＣＨを受信し始めるとする。時間Ｔｃ１から時間Ｔｓの間、移動局１は底電流およびタイミング制御部が消費する電力Ｗｐ、Ｗｔの他に、通信制御部１３が電力Ｗｃを消費する。したがって、移動局１が電源ＯＮ状態になった場合に、移動局１の消費する電力Ｗは次のように表される。
Ｔｃ１≦Ｔ＜Ｔｓ
Ｗ＝Ｗｐ＋Ｗｔ＋Ｗｃ                                    （２）
時間Ｔｓの時から、無線部３、ベースバンド変復調部６および通信路符合化部９の電源が接続され、移動局１がＳＣＣＰＣＨの信号を受信し始め、時間Ｔｅのときに移動局１がＳＣＣＰＣＨの受信を終了するとする。また、無線部３またはベースバンド変復調部６が消費する電力をＷｄｍとする。また時間Ｔｆｎ（ｎは自然数とする）のときに通信制御部１３がＦＡＣＨの信号を解読するとし、移動局１がＳＣＣＰＣＨの信号を受信可能としている間であって、ＦＡＣＨの信号を解読していない期間をＴｉとする。すると次のように式を表すことができる。
Ｔｓ≦Ｔ＜Ｔｅ（Ｔｉの期間を除く）
Ｗ＝Ｗｐ＋Ｗｔ＋Ｗｄｍ＋Ｗｄｃ＋Ｗｃ                    （３）
Ｔｓ≦Ｔ＜Ｔｅ（Ｔｉの期間に限る）
Ｗ＝Ｗｐ＋Ｗｔ＋Ｗｄｍ＋Ｗｄｃ                          （４）
時間Ｔｅのとき、通信制御部１３がＦＡＣＨを待ち受けるのを終了することを決定し、時間Ｔｃ２のとき、無線部３、ベースバンド変復調部６および通信路符号化部９の電源が切断されるとする。すると、次のように式を表すことができる。
Ｔｅ≦Ｔ＜Ｔｃ２
Ｗ＝Ｗｐ＋Ｗｔ＋Ｗｄｍ＋ｗｄｃ＋Ｗｃ                    （５）
時間Ｔｃ２から通信制御部１３の電源が切断される時間Ｔｃ３までの間、移動局１が消費する電力Ｗは次のように表すことが出来る。
Ｔｃ２≦Ｔ＜Ｔｃ３
Ｗ＝Ｗｐ＋Ｗｔ＋Ｗｃ                                    （６）
時間Ｔｃ３以降、移動局１の電源が接続されなければ、移動局１が消費する電力Ｗは次のように表すことができる。
Ｔ≧Ｔｃ３
Ｗ＝Ｗｐ＋Ｗｔ                                          （７）
この実施の形態によれば、時間Ｔが時間Ｔｓから時間Ｔｃ２までの間において、Ｔｉの区間が生じる毎に電力を節約することができる。したがって、ＴｓからＴｃ２までの区間において、Ｔｉの区間の合計が占める割合Ｒが高くなればなるほど、移動局１の電力が節約されることになる。割合Ｒを式に表すと次のようになる。
Ｒ＝ΣＴｉ／（Ｔｃ２−Ｔｓ）                            （８）
次に、この実施の形態１において、ＦＡＣＨが待ち受けられる場合の通信制御部１３の具体的動作を第５図に基づいて説明する。
ステップＳ１は、移動局１がＦＡＣＨを待ち受けることを決定した場合で、通信制御部１３が電源ＯＮ状態であるときに、通信制御部１３が動作する必要があるか否かを通信制御部１３が確認してから、通信制御部１３が電源ＯＦＦ状態となるスリープ工程である。
ステップＳ２は、通信制御部１３が電源ＯＦＦ状態の場合に、通信制御部１３を電源ＯＮ状態にさせる信号（以降、「ウエイクアップ信号」という）を、通信制御部１３が待ち受ける工程である。
また、ウエイクアップ信号は、例えば、通信路符号化部９がベースバンド信号の復号を完了した場合に出力する信号、ベースバンド変復調部６または無線部３が周辺セルの監視結果を報告する信号である。または、ベースバンド変復調部６によってセルサーチが行われ、このセルサーチの結果に基づいて通信制御部１３が通信制御動作を行う場合に、ベースバンド変復調部６がそのセルサーチの結果を通信制御部１３に知らせる信号等でも良い。また、その他通信制御部１３の動作が必要になる場合に出力される信号があれば、その信号もウエイクアップ信号とすることが望ましい。
この工程では、通信制御部１３に、ウエイクアップ信号が入力された場合に、次のステップに進む。一方、通信制御部１３にウエイクアップ信号が入力されなければ、この状態が続く。
ステップＳ３は、通信制御部１３にウエイクアップ信号が入力された場合に、通信制御部１３が電源ＯＮ状態になるウエイクアップ工程である。
ステップＳ４は通信制御部１３が電源ＯＮ状態のときに、通信路符号化部９から通信制御部１３に、復号されたベースバンド信号が入力される工程である。なお、この工程で入力されるベースバンド信号は、ＣＣＴＲＣＨから分離された、複数のトランスポートチャネルである。
ステップＳ５は通信制御部１３に入力された複数のトランスポートチャネルの中から、通信制御部１３が、ＦＡＣＨを選び、ＦＡＣＨを解読する工程である。
ステップＳ６ａはステップＳ５によるＦＡＣＨの解読結果から、通信制御部１３の動作が第５図の動作から状態遷移をする必要があるか否かが判定される工程である。
この実施の形態において、状態遷移をする必要があるとは、解読結果が移動局の使用するチャネルを切り替える必要を示した場合のことをいう。
ステップＳ７はステップＳ６ａの後、通信制御部１３が動作する必要がないことを確認した場合に、通信制御部１３が電源ＯＦＦ状態になるスリープ工程である。
通信制御部１３の電源が切断された後は、通信制御部１３は、再度、ウエイクアップ信号が入力されることを待ち受ける。
次にステップＳ１またはステップＳ７のスリープ工程の動作例について第６図を用いて説明する。
ステップＳ７１は通信制御部１３に端末ＩＦ部１４から、データを送信して欲しい旨の要求が有るかないかが確認される工程である。通信制御部１３に端末ＩＦ部１４から、データを送信して欲しい旨の要求がない場合に、ステップＳ７２へ進む。
ステップＳ７２は、通信制御部１３が、周辺セルについて監視する必要があるか否かが確認される工程である。通信制御部１３が、周辺セルについて監視する必要がない場合にステップＳ７３に進む。
ステップＳ７３は、通信制御部１３において、セルサーチ関連処理の行われる必要があるか否かが判定される工程である。ここで、セルサーチ関連処理とは、ベースバンド変復調部６がセルサーチを行い、このセルサーチを実行する周期を通信制御部１３が把握している場合に、通信制御部１３がベースバンド変復調部６へ、その周期ごとにセルサーチを指示する処理または、ベースバンド変復調部６のセルサーチ結果に基づいて、通信制御部１３が通信制御動作を行うことをいう。通信制御部１３がセルサーチ関連処理を行う必要がない場合にステップＳ７４に進む。
ステップＳ７１〜ステップＳ７３において、次のステップに進めない場合は、ステップＳ７１に戻る。
ステップＳ７４は通信制御部１３がタイミング制御部に通信制御部１３への電力の供給を停止するように要求し、通信制御部１３への電力の供給を停止させる工程である。
また、通信制御部１３への電力の供給を停止する処理は、実際に通信制御部１３の電源をＯＦＦ状態にする処理の代わりに、通信制御部１３へ供給されるクロックを停止する処理にしても良い。
また、通信制御部１３の電源をＯＦＦ状態にする処理を、通信制御部１３へ供給されるクロックを停止する処理で代替した場合、通信制御部１３の電源をＯＮ状態にする処理は、通信制御部１３へ、クロックの供給を開始する処理で代替すれば良い。
なお、ステップＳ７１〜ステップＳ７３は通信制御部１３が動作する必要があるか否かが確認されるステップであり、ステップＳ７１〜ステップＳ７３までにおける工程の順番は問わない。また、その他通信制御部１３に対して動作要求が有り得る場合は、その動作要求があるか否かを確認する工程をもうけ、通信制御部１３に対して動作要求がないときに、ステップＳ７３へ進むことができるようにすることが望ましい。
次に、この実施の形態１において、移動局１がＦＡＣＨを待ち受ける場合の、無線部３、ベースバンド変復調部６または通信路符号化部９の具体的動作を第７図に基づいて説明する。
ステップＳ２０は、無線部３が高周波信号であるＳＣＣＰＣＨを待ち受けている工程である。
ステップＳ２１は、高周波信号であるＳＣＣＰＣＨがダウンコンバータ５に入力された場合に、ＳＣＣＰＣＨを高周波信号から中間周波信号へ復調する工程である。
ステップＳ２２は、中間周波信号であるＳＣＣＰＣＨがベースバンド復調器８に入力された場合に、ＳＣＣＰＣＨを中間周波信号からベースバンド信号へ復調する工程である。
ステップＳ２２において復調されたベースバンド信号に含まれるトランスポートチャネルは、ＣＣＴＲＣＨである。
ステップＳ２３は、所望チャネル存在判定部１２を用いて、ステップＳ２２でベースバンド信号に復調されたＳＣＣＰＣＨの中にＦＡＣＨが存在するか否かが判定される工程である。
所望チャネル存在判定部１２は、ＣＣＴＲＣＨの中に、所望のトランスポートチャネルが含まれているか否かを判定することができるので、ステップＳ２２で復調されたＳＣＣＰＣＨの中にＦＡＣＨが含まれるか否かを判定することができる。また、その判定結果が、ＣＣＴＲＣＨの中に所望のトランスポートチャネルが含まれることを示す場合に、ＳＣＣＰＣＨの中にＦＡＣＨが存在する旨の信号が出力される。
なお、ここでの判定は、ＣＣＴＲＣＨに含まれるＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）を用いて行われる。
ステップＳ２３の判定結果が、ＣＣＴＲＣＨの中にＦＡＣＨが存在することを示した場合はステップＳ２４へ進む。一方、ステップＳ２３の判定結果が、ＣＣＴＲＣＨの中にＦＡＣＨが存在しないことを示した場合はステップＳ２０へ戻り、無線部３が再度高周波信号であるＳＣＣＰＣＨを待ち受ける。
ステップＳ２４は、通信路符合化部９が、ＴＦＣＩを使用して、ＣＣＴＲＣＨを複数のトランスポートチャネルの信号に分離し、復号する工程である。
ステップＳ２５は、ＣＣＴＲＣＨの復号が完了した場合に、通信制御部１３へウエイクアップ信号を送出する工程である。このウエイクアップ信号は割り込み信号であることが望ましい。通信制御部１３は電源が切断されている場合のみならず、受信動作とは異なる動作プログラムが実行されていることもあるからである。
ステップＳ２６は、ステップＳ２５において通信制御部１３へウエイクアップ信号が出力された後、各トランスポートチャネルの信号が通信路符合化部９から通信制御部１３へ出力されるステップである。各トランスポートチャネルの信号が通信制御部１３へ出力された後は、ステップＳ２０に戻り、無線部３が再度高周波信号であるＳＣＣＰＣＨを待ち受ける。
第７図で説明した動作は、ＴＦＣＩを使用した判定工程がＣＣＴＲＣＨを復号する工程の前段にある。この理由は、通信路符合化部は、ＣＣＴＲＣＨを復号する前に、ＴＦＣＩを用いた処理を行うからであり、その方がＴＦＣＩを用いた処理を効率よく行うことができるからである。したがって、ＣＣＴＲＣＨを復号した後に、ＴＦＣＩを使用した判定を行ったとしても、移動局１がＦＡＣＨを待ち受ける場合に、移動局１が消費する電力を節約する目的は達成できる。
また、通信制御部１３が電源ＯＮとなる時間が極力短くなるように、ＣＣＴＲＣＨの復号が完了したときに通信路符号化部９がウエイクアップ信号を出力することにしている。しかし、通信制御部１３を間欠的に動作させるためには、無線部３、ベースバンド変復調部６または通信路符号化部９のいずれの部分からウエイクアップ信号を出力しても良い。また、ウエイクアップ信号を出力するタイミングは、高周波信号が無線部３に入力されてから、ＣＣＴＲＣＨの復号が完了したときまでの間であれば、いずれのタイミングであっても良い。
以上の実施の形態によれば、移動局１がＦＡＣＨを待ち受ける場合において、通信制御部１３の消費電力を節約することによって移動局１の消費電力を節約した無線信号受信方法を実現することが出来る。
また、ＣＣＴＲＣＨをＴＦＣＩを用いて復号する場合に、ＴＦＣＩを用いてＳＣＣＰＣＨの中にＦＡＣＨが存在するか否かを判定することによって、装置資源の利用効率が良い無線信号受信方法を実現することができる。
また、判定結果がＦＡＣＨの存在を示した場合で、ＣＣＴＲＣＨが復号されたときに、通信制御部１３の電源を、割込み信号によってＯＮ状態にすることによって、消費電力をさらに節約した無線信号受信方法を実現することができる。
また、スリープ工程が確認工程を備えているので、通信制御部が稼動する必要がある場合に、通信制御部が停止しない無線信号受信方法を実現することができる。
また、移動局１がＦＡＣＨを待ち受ける場合において、通信制御部１３の消費電力を節約することによって、消費電力を節約した無線信号受信装置を実現することが出来る。
また、ＣＣＴＲＣＨをＴＦＣＩを用いて復号する場合に、ＴＦＣＩを用いてＳＣＣＰＣＨの中にＦＡＣＨが存在するか否かを判定することによって、装置資源の利用効率が良い無線信号受信装置を実現することができる。
また、判定結果がＦＡＣＨの存在を示した場合で、ＣＣＴＲＣＨが復号されたときに、通信制御部１３の電源を、割込み信号によってＯＮ状態にすることによって、消費電力をさらに節約した無線信号受信装置を実現することができる。
また、スリープ工程が確認工程を備えているので、通信制御部が稼動する必要がある場合に、通信制御部が停止しない無線信号受信装置を実現することができる。
実施の形態２．
この実施の形態２において、移動局１がＦＡＣＨを待ち受ける場合であって、ＳＣＣＰＣＨに含まれるＣＣＴＲＣＨがＴＦＣＩによってＦＡＣＨの有無が判定された後、ＣＲＣ（Ｃｙｃｌｉｃ  Ｒｅｄｕｃｄａｎｃｙ  Ｃｈｅｃｋ）判定を行うことによって、受信されたＦＡＣＨの受信誤りが検出されるときの無線部３、ベースバンド変復調部６または通信路符合化部９の具体的動作を第８図に基づいて説明する。
なお、実施の形態１と同様のステップについては、実施の形態１と同一の符合を付して説明を省略する。
ステップＳ２７は、ステップＳ２４によって、ＣＣＴＲＣＨが復号された後に、ＣＣＴＲＣＨに多重化されている各トランスポートチャネルの受信が誤まっているか否かが検出される誤り検出工程である。
この工程では、受信したトランスポートチャネルごとにＣＲＣ判定が行われる。ＣＲＣ判定は、その判定対象となるトランスポートチャネルが正常に受信されたか否かが出力される判定である。
ＣＲＣ判定によって、ＣＣＴＲＣＨに多重化されているトランスポートチャネルが全て異常である場合、たとえ、それらのトランスポートチャネルの中にＦＡＣＨが含まれていたとしても、ＦＡＣＨを解読する意味がない。
したがって、そのような場合は、通信制御部１３に対してウエイクアップ信号を出力しないことにする。すると、通信制御部１３がウエイクアップする時期が、次にＦＡＣＨが受信された時になるので、通信制御部１３をスリープさせておく時間が長くなり、通信制御部１３において消費される電力がさらに節約されることになる。その他の工程は実施の形態１と同様であるので説明を省略する。
以上のような実施の形態２によれば、ＣＲＣ判定を待って、通信制御部１３をウエイクアップするか否かを判定することができるので、無用に通信制御部１３をウエイクアップすることなく、通信制御部１３の消費電力をさらに節約する無線通信制御装置を実現することができる。
また、ＣＲＣ判定を待って、通信制御部１３をウエイクアップするか否かを判定することができるので、無用に通信制御部１３をウエイクアップすることなく、通信制御部１３の消費電力をさらに節約する方法を実現することができる。
実施の形態３．
実施の形態３では、パケット通信中にＦＡＣＨを待ち受ける方法について説明する。
パケット通信中は、基地局０と移動局１との間において伝達されているトラフィック量に応じて、移動局１は個別状態と共通状態とを適宜切り替えている。
パケット通信中の移動局１の動作を第９図に基づいて説明する。
ステップＳ３０は、移動局１が個別状態である場合の、移動局１の工程で、大きく分けると、ステップＳ３１とステップＳ３２とを備えている。
ステップＳ３１は移動局１がＤＴＣＨ（Ｄｅｄｉｃａｔｅｄ  Ｔｒａｆｆｉｃ  Ｃｈａｎｅｌ）を受信したか否かが確認される工程である。ステップＳ３１では、移動局１がＤＴＣＨ以外の論理チャネルを受信した場合は、再度ＤＴＣＨを待ち受ける。
ステップＳ３２は、ＤＴＣＨが受信された場合に、その信号を処理する。また、ＤＴＣＨが基地局０と移動局１との間で伝達しているトラフィック量を通知する情報である場合、基地局０と移動局１との間で伝達しているトラフィック量が所定の量よりも少ないか否かを判定する工程である。
基地局０と移動局１との間で伝達されているトラフィック量が所定の量と同じまたは、より少ないことをその判定結果が示す場合は、移動局１の状態を共通チャネルに切り替えることが決定され、ステップＳ３３に進む。
基地局０と移動局１との間で伝達しているトラフィック量が所定の量よりも多いことをその判定結果が示す場合は、移動局１は個別状態を続け、再度ＤＴＣＨの受信を待ち受ける。
ステップＳ３３は、ステップＳ３２をうけ、移動局１が移動局１の状態を個別状態から共通状態へ切り替える工程である。
ステップＳ３４は、移動局１の状態が個別状態から共通状態に切り替わった旨を基地局０へ通知する工程である。
ステップＳ３５は、移動局１の状態が共通状態にある場合の工程で、ステップＳ３６、ステップＳ３７およびステップＳ３８を備える。
ステップＳ３６は移動局１がＦＡＣＨを待ち受ける工程である。パケット通信中にＦＡＣＨに含まれる情報は、制御信号または文字、画像若しくは動画等の有意な信号である。なお、制御信号として移動局１が受信する信号の中に、基地局０と移動局１との間で伝達されているトラフィック量が多いか否かを表す信号があることがある。
ステップＳ３７はステップＳ３６で、共通状態において、基地局０と移動局１との間で伝達しているトラフィック量が多いか否かを定期的に判定している工程である。
図においては、ステップＳ３６の後段に設けたが、通信制御部１３の電源がＯＮ状態になっている限り、いつ行われても良い。
ステップＳ３８はＦＡＣＨを受信できていない場合に、ＦＡＣＨを受信していない状態が所定の時間を超えているか否かを判定する工程である。また、一般的に、移動局１がＦＡＣＨを受信していない状態が所定の時間を超えた場合に、移動局１はパケット通信状態を終了するとともに、移動局１の状態を共通状態から待ち受け状態へ切り替える。
従って、移動局１が共通状態であって、ＦＡＣＨを受信していない場合も、パケット通信状態は所定の時間が経過するまでは続く。また、所定の時間が経過する前に、ＦＡＣＨを受信すれば、再度所定の時間が経過するまで、パケット通信状態が続く。
例えば、移動局１がメールを受信した後、所定の時間が経過するまでの間は、共通状態でのパケット通信状態が続き、ＦＡＣＨが待ち受けられている。また、移動局１がウェブサイトなどから文字または画像などの有意な信号を受信した後、一定の時間が経過するまでの間はＦＡＣＨが待ち受けられる状態が続く。
また、作業者は、移動局１を使用して、例えばネットサーフィンと称される行為のように、ウェブサイドをダウンロードした後、そのウェブサイトを閲覧し、閲覧後再度別のウェブサイトをダウンロードし、そのウェブサイトを閲覧するという動作を繰り替えす行為（以降、「断続閲覧行為」という）を行うことがある。
この場合、文字または画像などの有意な信号を受信した後、所定の時間はＦＡＣＨを待ち受けられる状態が続く。また、再度文字または画像などの有意な信号を受信した後、所定の時間はＦＡＣＨを待ち受ける状態が続く。
ステップＳ３５の中の具体的動作は、第１０図および第１１図に基づいて行われる。
第１０図は、第５図のステップＳ６ａの代わりにステップＳ６ｂが設けられている。ステップＳ６ｂは、移動局１と基地局０との間において伝達されているトラフィック量を定期的に把握し、その把握の結果、そのトラフィック量に応じて通信状態を切り替えるか否かを決定する工程である。
図においてはステップＳ５の後段に設けられているが、ステップＳ６ｂは、通信制御部１３の電源がＯＮ状態である限り、いつ行われても良い。
ステップＳ６ｂがステップＳ５の後段にある場合、ステップＳ７はステップＳ６ｂの後に行われる。また、ステップＳ６ｂがステップＳ５の後段以外に行われる場合は、ステップＳ７はステップＳ５の後段に行われる。
第１１図は、第７図と同様のフローチャート図である。しかし、第９図におけるステップＳ３８が、ステップＳ２０およびステップＳ２３の後段と、ステップＳ２０の前段との間に介在している点で第７図と異なる。
以上の実施の形態３によれば、共通状態でパケット通信をしている場合に、通信制御部１３の消費電力を節約することができるので、パケット通信を利用して行われるメール受信の後に、移動局１が消費する電力を節約する無線信号受信方法を実現できる。
また、ウェブサイトを閲覧した後に、移動局１が消費する電力を節約する無線信号受信方法を実現できる。
また、移動局１を使用して断続閲覧行為を行う場合に移動局１の消費電力を節約する無線信号受信方法を実現できる。
また、パケット通信を利用して行われるメール受信の後に、消費電力を節約する無線信号受信装置を実現できる。
また、ウェブサイトを閲覧した後に、消費電力を節約する無線信号受信装置を実現できる。
また、断続閲覧行為を行う場合に消費電力を節約する無線信号受信装置を実現できる。
実施の形態４．
この実施の形態４は、ＤＴＣＨ（Ｄｅｄｉｃａｔｅｄ  Ｔｒａｆｆｉｃ  Ｃｈａｎｅｌ）を待ち受ける場合に通信制御部１３の電力を節約する方法である。
ＷＣＤＭＡ方式で用いられる具体的なチャネルの中で、この実施の形態４で使用するチャネルについて説明する。
ＤＰＣＨ（Ｄｅｄｉｃａｔｅｄ  Ｐｈｙｓｉｃａｌ  Ｃｈａｎｅｌ）は物理チャネルの一つであり、個別チャネルの一つである。また、ＤＰＣＨは不特定の時に飛来するチャネルである。
ＤＣＨ（Ｄｅｄｉｃａｔｅｄ  Ｃｈａｎｅｌ）はトラフィックチャネルの一つであり、個別チャネルの一つである。また、ＤＣＨはＤＰＣＨにマッピングされるチャネルである。また、上りまたは下りの双方向のチャネルである。
ＤＴＣＨは論理チャネルの一つである。また個別チャネルの一つである。また、ＤＴＣＨはＤＣＨ等にマッピングされるチャネルである。また、ＤＴＣＨは、基地局０と移動局１との間で伝達されているトラフィック量を示すために、基地局０から移動局１へ伝達されることがあるチャネルである。
ＤＴＣＨはＤＰＣＨに含まれるチャネルで、ＤＰＣＨは不特定の時期に基地局０から移動局１へ飛来するチャネルである。したがって、ＳＣＣＰＣＨに含まれるＦＡＣＨを待ち受ける方法と同様に、ＤＰＣＨに含まれるＤＴＣＨを待ち受ける方法においても通信制御部１３の消費電力を節約することができる。ＤＴＣＨは例えば、第９図におけるステップＳ３０において待ち受けられる。
また、第９図のステップＳ３０の具体的動作は、原則として、第６図から第１０図に表される動作において、ＳＣＣＰＣＨをＤＰＣＨに置き換え、ＦＡＣＨをＤＴＣＨに置きかえれば良い。ただし、ＤＴＣＨを待ち受ける場合は、基地局０と移動局１との間で伝達しているトラフィック量が所定量と同じまたはより少ない場合に、移動局１が共通状態に切り替わる。そのため、第１０図におけるステップＳ６ｂの工程の変わりに、トラフィック量が少ないか否かを判定するステップＳ６ｃ（図示せず）を設ける必要がある。
また、ＤＴＣＨを待ち受ける方法と、ＦＡＣＨを待ち受ける方法とを組み合わせて用いれば、パケット通信中に移動局１が消費する電力をさらに節約することができる。
以上の実施の形態によれば、ＤＴＣＨを待ち受ける場合に、通信制御部１３の消費電力を節約する無線信号受信方法を実現することができる。
また、ＣＣＴＲＣＨをＴＦＣＩを用いて復号する場合に、ＴＦＣＩを用いてＤＰＣＨの中にＤＴＣＨが存在するか否かを判定することによって、装置資源の利用効率が良い無線信号受信方法を実現することができる。
また、ＣＣＴＲＣＨをＣＲＣ判定に用いる信号を利用して復号を行う場合に、ＣＲＣ判定に用いる信号を利用してＤＰＣＨの中にＤＴＣＨが存在するか否かが判定されるので、装置資源の利用効率が良い無線信号受信方法を実現できる。
また、判定結果がＤＴＣＨの存在を示した場合で、ＣＣＴＲＣＨが復号されたときに、通信制御部１３の電源を、割込み信号によってＯＮ状態にすることによって、消費電力をさらに節約した無線信号受信方法を実現することができる。
また、スリープ工程が確認工程を備えているので、通信制御部が稼動する必要がある場合に、通信制御部が停止しない無線信号受信方法を実現することができる。
また、ＤＴＣＨを待ち受ける場合に、通信制御部１３の消費電力を節約する無線信号受信方法を実現することができる。
また、ＤＴＣＨを待ち受ける場合に通信制御部１３の消費電力を削減することにより、パケット通信中に使用する消費電力を削減する無線信号受信方法を実現することが出来る。
また、ＤＴＣＨを待ち受ける場合に、通信制御部１３の消費電力を節約する無線信号受信装置を実現することができる。
また、ＣＣＴＲＣＨをＴＦＣＩを用いて復号する場合に、ＴＦＣＩを用いてＤＰＣＨの中にＤＴＣＨが存在するか否かを判定することによって、装置資源の利用効率が良い無線信号受信装置を実現することができる。
また、ＣＲＣ判定を待って、通信制御部１３をウエイクアップするか否かを判定することができるので、無用に通信制御部１３をウエイクアップすることなく、通信制御部１３の消費電力をさらに節約する無線通信制御装置を実現することができる。
また、判定結果がＤＴＣＨの存在を示した場合で、ＣＣＴＲＣＨが復号されたときに、通信制御部１３の電源を、割込み信号によってＯＮ状態にすることによって、消費電力をさらに節約した無線信号受信装置を実現することができる。
また、スリープ工程が確認工程を備えているので、通信制御部が稼動する必要がある場合に、通信制御部が停止しない無線信号受信装置を実現することができる。
また、ＤＴＣＨを待ち受ける場合に、通信制御部１３の消費電力を節約する無線信号受信装置を実現することができる。
また、ＤＴＣＨを待ち受ける場合に通信制御部１３の消費電力を削減することにより、パケット通信中に使用する消費電力を削減する無線信号受信装置を実現することが出来る。
【産業上の利用可能性】  この発明は、例えば、ＷＣＤＭＡ方式における移動体端末において用いられるものである。
【図１】
2004019637.tif 000003
【図２】
2004019637.tif 000004
【図３】
2004019637.tif 000005
【図４】
2004019637.tif 000006
【図５】
2004019637.tif 000007
【図６】
2004019637.tif 000008
【図７】
2004019637.tif 000009
【図８】
2004019637.tif 000010
【図９】
2004019637.tif 000011
【図１０】
2004019637.tif 000012
【図１１】
2004019637.tif 000013
【国際調査報告】
2004019637.tif 000014
2004019637.tif 000015
2004019637.tif 000016
2004019637.tif 000017